(57)【特許請求の範囲】
【請求項１】
感光体と、該感光体上に画像情報に応じたトナー像を形成する画像形成手段と、記録紙を供給する供給手段と、該供給手段により供給された記録紙を所定の経路で搬送する搬送手段と、該搬送手段により搬送される前記記録紙に前記トナー像を転写する転写手段と、該転写手段により転写された前記トナー像を前記記録紙に定着させる熱定着手段とを備えた電子写真式記録装置であって、
前記熱定着手段を通過した前記記録紙を前記熱定着手段よりも上流側に戻す返送手段と、
熱可塑性接着剤を接着後に引き剥がし可能であるように形成された不透明の隠蔽紙を供給する第２の供給手段と、
該第２の供給手段により供給された前記隠蔽紙の前記熱可塑性接着剤の形成された面を前記返送手段により戻された記録紙のトナー像定着面に重ね合わせる重合手段と、
該重合手段により重ね合わせられた前記記録紙及び前記隠蔽紙を前記熱定着手段に搬送する第２の搬送手段と、
を備えたことを特徴とする電子写真式記録装置。
【請求項２】
前記隠蔽紙は、少なくとも周縁部に前記熱可塑性接着剤を形成されてなることを特徴とする請求項１記載の電子写真式記録装置。
【請求項３】
前記重合手段は、前記記録紙と前記隠蔽紙とを前記転写手段と前記熱定着手段との間で重ね合わせることを特徴とする請求項１又は２記載の電子写真式記録装置。
【請求項４】
前記重合手段は、前記記録紙と前記隠蔽紙とを前記転写手段よりも上流側で重ね合わせることを特徴とする請求項１又は２記載の電子写真式記録装置。
【請求項５】
前記第２の供給手段により供給された前記隠蔽紙の前記熱可塑性接着剤の形成された面とは反対面に画像記録すべく前記隠蔽紙を、前記重合手段により前記転写手段と前記熱定着手段との間で前記記録紙に重ね合わせられる前に、又は、前記重合手段により前記転写手段よりも上流側で重ね合わせた後に前記記録紙と共に、前記転写部へ搬送するよう前記搬送手段を制御する制御手段を更に備えることを特徴とする請求項１又は２記載の電子写真式記録装置。
【請求項６】
感光体と、該感光体上に画像情報に応じたトナー像を形成する画像形成手段と、記録紙を供給する供給手段と、該供給手段により供給された記録紙を所定の経路で搬送する搬送手段と、該搬送手段により搬送される前記記録紙に前記トナー像を転写する転写手段と、該転写手段により転写された前記トナー像を前記記録紙に定着させる熱定着手段とを備えた電子写真式記録装置を用いて行う秘密保持可能な記録方法であって、
前記熱定着手段を通過した前記記録紙を前記熱定着手段よりも上流側に戻す工程と、
熱可塑性接着剤を接着後に引き剥がし可能であるように形成された不透明の隠蔽紙を供給する工程と、
この供給された前記隠蔽紙の前記熱可塑性接着剤の形成された面を前記熱定着手段よりも上流側に戻された記録紙のトナー像定着面に重ね合わせる工程と、
この重ね合わせられた前記記録紙及び前記隠蔽紙を前記熱定着手段に搬送する工程と、
を含むことを特徴とする秘密保持可能記録方法。
【請求項７】
前記隠蔽紙は、少なくとも周縁部に前記熱可塑性接着剤を形成されてなることを特徴とする請求項６記載の秘密保持可能記録方法。
【請求項８】
前記重ね合わせの工程は、前記記録紙と前記隠蔽紙とを前記転写手段と前記熱定着手段との間で重ね合わせることを特徴とする請求項６又は７記載の秘密保持可能記録方法。
【請求項９】
前記重ね合わせの工程は、前記記録紙と前記隠蔽紙とを前記転写手段よりも上流側で重ね合わせることを特徴とする請求項１又は２記載の秘密保持可能記録方法。
【請求項１０】
前記隠蔽紙の前記熱可塑性接着剤の形成された面とは反対面に画像記録すべく前記隠蔽紙を、前記転写手段と前記熱定着手段との間で前記記録紙に重ね合わせられる前に、又は、前記転写手段よりも上流側で重ね合わせた後に前記記録紙と共に、前記転写部へ搬送する工程を更に含むことを特徴とする請求項６又は７記載の秘密保持可能記録方法。
【発明の詳細な説明】
【０００１】
【発明の属する技術分野】
本発明は、記録情報を秘密保持可能に記録する電子写真式記録装置及びそれによる秘密保持可能記録方法に関する。
【０００２】
【従来の技術】
近年、種々の料金の請求金額の通知、払い戻し金の振り込み通知、顧客として登録すべきコード番号の通知、又はその他のプライベート情報等の重要且つ秘密を要する情報が記載された葉書の郵送が広く行われている。この場合、秘密情報保護のため秘匿すべき情報部分に不透明もしくは読み難くする印刷の施された隠蔽ラベルが剥離可能に積層されている。そして、これら隠蔽ラベルについての種々なる提案も行われている。
【０００３】
また、葉書に限らず、例えば給与明細書、学生の成績通知表、親展内容のファクシミリ等の個人に係る秘密情報を他人に容易に知られないようにするための種々なる提案もなされている。
【０００４】
図９（ａ），（ｂ）  は、上記の隠蔽ラベルの一例を示す図であり、同図（ａ）  は平面図、同図（ｂ）  はその端面を分かりやすく厚さ方向に拡大して示している。同図（ａ），（ｂ）  に示すように、この隠蔽ラベル１は、基材２、アルミニウム箔等からなる隠蔽層３、透明層４、接着層５、及び剥離層６を積層した多層シートから成る。この隠蔽ラベル１の剥離層６を剥がし取って、同図（ｃ）  に示す文字、数字、記号等の印字情報７が記載されている葉書等の記録紙８の印刷面に接着層５を押し当てて接着して貼付する。したがって、このままの状態で、第三者が基材１側からは印字情報７を見ることができず、これによって秘密保護が達成される。
【０００５】
宛て先人は、この隠蔽ラベル１が接着されている葉書８を受け取り、図に示すＡ−Ａ′ライン部分で基材２と隠蔽層３部分を透明層４から剥離して、透明層４を通して印字情報７を読み取ることができる。尚、基材２と隠蔽層３には、剥がし易いように、ミシン目９が予め施されている。また、透明層４の縁部分は接着剤層５−１が形成され、郵送される際に誤って剥がれることのないように周囲のみを比較的強く接着するように構成されている（但し、上記のＡ−Ａ′ラインで示す隠蔽層３と透明層４の間には、例えば感圧接着層を介在させて圧力を掛ける等により適度の接着力が形成されている）。
【０００６】
図１０は、隠蔽用封止シートの例を示す図である。同図に示す隠蔽用封止シート１０は、透明の基材１１の片面に、容易に剥離可能ではあるが自然剥離はしないような物性を有する熱可塑性樹脂層１２を形成し、これらの外面に夫々感熱接着剤層１３−１、１３−２を設けてシート状にしたものである。記録紙１５−１の印字情報１４−１の記載面と、記録紙１５−２の印字情報１４−２の記載面との間に、上記の隠蔽用封止シート１０を挟み込み、加熱しながら押圧して、両記録紙１５−１、１５−２を向かい合わせに貼着させる。この封止された印字情報１４−１及び１４−２は、図に示すＢ−Ｂ′ライン部分で両記録紙１５−１、１５−２を剥離させることによって読むことができる。
【０００７】
しかしながら、上記図９（ａ），（ｂ）  に示した隠蔽ラベル１や図１０に示した隠蔽用封止シート１０は、いずれも印字情報７の記載された記録紙８又は印字情報１４−１、１４−２の記載された記録紙１５−１、１５−２に貼付するために提供される隠蔽ラベル又は隠蔽用封止シートそのものの技術であって、記録紙８又は記録紙１５−１、１５−２との対応関係は、これら隠蔽ラベル又は隠蔽用封止シートを使用する者の一存に委ねられていた。
【０００８】
すなわち、これらの隠蔽ラベル又は隠蔽用封止シートの提供に当たっては、記録紙への印字作業、及びこの印字済み記録紙への隠蔽ラベル又は隠蔽用封止シートによる隠蔽処理作業については何等の関心も払われていない。
【０００９】
例えば、図９（ａ），（ｂ）  に示した隠蔽ラベルは、通常の背貼りラベルと同様に単品で提供され得るものであり、使用に際しては手作業で記録紙の印字済み面に貼り付けることになる。また、そのような秘密保護付きの記録紙を大量に作成したいような場合には貼りつけ作業を自動で行う特殊な装置が必要である。また、図１０に示した隠蔽用封止シートの場合も同様に、もし少量の使用であるときは感熱接着剤を熱溶融させるために例えばアイロン等を用いて手作業で接着を行うことになる。また大量の使用であるときは専用の貼りつけ装置が必要であるが、これらのことは使用者側の選択に依存しており、隠蔽ラベル又は隠蔽用封止シート提供者の関知するところではない。
【００１０】
図１１（ａ）  は、大量の記録紙を隠蔽用封止シートによって記録面を隠蔽する場合の記録紙の例を示しており、同図（ｂ）  は、その封止作業を専用装置によって行う場合の処理を模式的に示している。この方式は、同図（ａ）  に示すように、ドット打刻プリンタによって連続紙１６に印字情報１７を印字した場合を前提とする技術である。印字済みの連続紙１６を中央の折り目１８で２枚折りにして、同図（ｂ）  に示すように、中に隠蔽用封止シート１０を挟んで貼合せ機１９に掛け、発熱ローラ２１によって封止し、秘密保持可能な情報記録体１６ａを作成する。情報記録体１６ａは、例えば給料明細書であれば各個人に対応する所定の長さで裁断される。当人は、フィード孔２２のついている側端部をミシン目２３に沿って取り除いた後、情報記録体１６ａの両面を剥離して開いて同図（ａ）  の印字情報１７を読むことができる。
【００１１】
上述したように、任意の形式で印字して秘密保持の出来る印字物を得ることは容易ではなく、なかなか手数の掛かる作業を必要とするものであった。ただし、このような手数を掛けずに秘密保持可能な印字物を作成する例として予め発色面を剥離可能な隠蔽シートで覆ったものがあることはある。
【００１２】
図１２（ａ），（ｂ）  は、そのような例として、ファクシミリ用の記録紙に秘密保持可能に印字する例を示したものである。同図（ａ），（ｂ）  に示すファクシミリ用の記録紙２５は、基材２６上に、いわゆる感熱層と呼ばれる発色層２７を形成し、剥離可能な不透明の被覆部材２８を積層して一体化したものである。この方式は、同図（ａ）  に示すように、この記録紙２５の被覆部材２８側から、又は同図（ｂ）  に示すように基材２６側から、発熱記録ヘッド２９ａ又は２９ｂを発熱させて印字する（発色層２７を発色させる）ものである。これは、受信者が被覆部材２８を基材２６から剥がすことにより初めて記録内容を読むことが出来るというものである。この方式は、被覆部材２８を剥がすまでは宛て先が判明しないという点に難があるといえる。
【００１３】
図１３（ａ），（ｂ），（ｃ）  は、上記の感熱発色の記録方式の難点を解消するものとして知られる記録方式の例を示す図である。この方式の記録紙は、同図（ａ）  に示すように、受像紙本体３０と、ベース紙３１に熱転写インク層３２が形成されたものとを積層し、更にその上に感熱紙３３を一部領域に積層して形成される。そして、同図（ｂ）  に示すように、感熱紙３３側から発熱記録ヘッド３４を発熱させて感熱紙３３部分に宛て名等の一般伝達事項３５を記録し（発色させ）、その感熱紙３３部分以外の領域で、つまり直接ベース紙３１側から、発熱記録ヘッド３４を発熱させて熱転写インク層３２により受像紙本体３０上に秘密情報を印字（転写）するものである。宛て先人は、同図（ｃ）  に示すように、先ず感熱紙３３上の宛て名や一般伝達事項３５を読み取り、次にベース紙３１を受像紙本体３０から引き剥がすことにより、受像紙本体３０上に熱転写されたインク３２−１により記録された秘密情報を読み出すことができる。
【００１４】
【発明が解決しようとする課題】
しかしながら、確かに上記の感熱発色又は感熱転写による記録方式は、印字すべき記録紙と隠蔽シートとの間に印字が出来るから、先に図９〜図１１で述べた印字物に後から隠蔽部材を貼着する方式に比較して、後から隠蔽部材を貼着する作業が不要である分だけ便利といえるが、図１２の感熱発色だけの秘密記録方式は既に述べたような難点がある。また、図１３の感熱発色と感熱転写による秘密記録方式は、その難点を解消しているとはいえ、表紙として宛て名等の一般伝達事項３５を記録する紙面領域が限られるという問題を有している。
【００１５】
また、更なる問題として、図１２及び図１３の方式はフルカラーで印字することが不可能である。つまり、これらの記録方式では、秘密情報と非秘密情報の如何に拘らず記録情報が単一色になってしまう。これでは、近年の印字分野の市場において強くなっているフルカラー印字の要望に応えることができない。
【００１６】
いずれにしても、図９〜図１３に示したような秘密記録を保持する方式は、秘密記録における受像紙側の対応技術であって、記録情報を秘密保持可能にする記録方法やその記録装置としての対応を発想したものではなく、また、そのような技術でもない。
【００１７】
したがって、例えば郵便書信物あるいは給与明細書等の情報発信人は、予め定められた書式の印刷された記録情報印字用紙に印字を行った後、特殊な装置を用いて密封するか又は予め印字範囲の限定された部分に印字する等して発信する。発信人が大量の秘密印刷物を発信する場合は、事業規模も大きいと思われるから、大量発信のための特殊な装置を導入することに大きな抵抗は無いであろうが、小規模な事業体あるいは個人等では到底そのような特殊な装置を備えることはできない。
【００１８】
また、印字物が予め定型化されてしまうため、一旦そのように定型化されて使用に供されたものは容易にその書式形態を変更することができないという不満も少なからず存在した。
【００１９】
本発明の課題は、上記従来の実情に鑑み、容易に記録情報を秘密保持可能に記録する電子写真式記録装置及びその秘密保持可能な記録方法を提供することである。
【００２０】
【課題を解決するための手段】
先ず、請求項１記載の発明の電子写真式記録装置は、感光体と、該感光体上に画像情報に応じたトナー像を形成する画像形成手段と、記録紙を供給する供給手段と、該供給手段により供給された記録紙を所定の経路で搬送する搬送手段と、該搬送手段により搬送される上記記録紙に上記トナー像を転写する転写手段と、該転写手段により転写された上記トナー像を上記記録紙に定着させる熱定着手段とを備えた電子写真式記録装置であって、上記熱定着手段を通過した上記記録紙を上記熱定着手段よりも上流側に戻す返送手段と、熱可塑性接着剤を接着後に引き剥がし可能であるように形成された不透明の隠蔽紙を供給する第２の供給手段と、該第２の供給手段により供給された上記隠蔽紙の上記熱可塑性接着剤の形成された面を上記返送手段により戻された記録紙のトナー像定着面に重ね合わせる重合手段と、該重合手段により重ね合わせられた上記記録紙及び上記隠蔽紙を上記熱定着手段に搬送する第２の搬送手段とを備えて構成される。
【００２１】
そして、例えば請求項５記載のように、上記第２の供給手段により供給された上記隠蔽紙の上記熱可塑性接着剤の形成された面とは反対面に画像記録すべく上記隠蔽紙を、上記重合手段により上記転写手段と上記熱定着手段との間で上記記録紙に重ね合わせられる前に、又は、上記重合手段により上記転写手段よりも上流側で重ね合わせた後に上記記録紙と共に、上記転写部へ搬送するよう上記搬送手段を制御する制御手段を更に備えて構成される。
【００２２】
上記隠蔽紙は、例えば請求項２記載のように、少なくとも周縁部に上記熱可塑性接着剤を形成されてなる。また、上記重合手段は、例えば請求項３記載のように、上記記録紙と上記隠蔽紙とを上記転写手段と上記熱定着手段との間で重ね合わせるように構成され、また、例えば請求項４記載のように、上記記録紙と上記隠蔽紙とを上記転写手段よりも上流側で重ね合わせるように構成される。
【００２３】
次に、請求項６記載の発明の秘密保持可能記録方法は、感光体と、該感光体上に画像情報に応じたトナー像を形成する画像形成手段と、記録紙を供給する供給手段と、該供給手段により供給された記録紙を所定の経路で搬送する搬送手段と、該搬送手段により搬送される上記記録紙に上記トナー像を転写する転写手段と、該転写手段により転写された上記トナー像を上記記録紙に定着させる熱定着手段とを備えた電子写真式記録装置を用いて行う秘密保持を可能にする記録方法であって、上記熱定着手段を通過した上記記録紙を上記熱定着手段よりも上流側に戻す工程と、熱可塑性接着剤を接着後に引き剥がし可能であるように形成された不透明の隠蔽紙を供給する工程と、この供給された上記隠蔽紙を上記熱可塑性接着剤の形成された面を上記戻し工程により戻された記録紙のトナー像定着面に重ね合わせる工程と、この重ね合わせられた上記記録紙及び上記隠蔽紙を上記熱定着手段に搬送する工程とを含んで編成される。
【００２４】
そして、例えば請求項１０記載のように、上記隠蔽紙の上記熱可塑性接着剤の形成された面とは反対面に画像記録すべく上記隠蔽紙を、上記転写手段と上記熱定着手段との間で上記記録紙に重ね合わせられる前に、又は、上記転写手段よりも上流側で重ね合わせた後に上記記録紙と共に、上記転写部へ搬送する工程を更に含んで編成される。
【００２５】
上記隠蔽紙は、例えば請求項７記載のように、少なくとも周縁部に上記熱可塑性接着剤を形成されてなる。また、上記重ね合わせの工程は、例えば請求項８記載のように、上記記録紙と上記隠蔽紙とを上記転写手段と上記熱定着手段との間で重ね合わせ、また、例えば請求項９記載のように、上記記録紙と上記隠蔽紙とを上記転写手段よりも上流側で重ね合わせる。
【００２６】
【発明の実施の形態】
以下、本発明の実施の形態を図面を参照しながら説明する。尚、以下の説明において、上記の感光体は例えば感光体ドラム５４等からなり、画像形成手段は例えば初期化帯電器５６、露光ヘッド５７、現像器５８、現像ローラ５９等からなり、記録紙は例えば用紙Ｐ等からなり、供給手段は例えば用紙カセット４３、給紙コロ７３、用紙案内コロ７２、搬送ローラ対７１、給送路６９、待機ローラ対６５等からなり、搬送手段は例えば搬送ベルト４８、吸着ローラ６３、駆動ローラ５１、従動ローラ５２等からなり、転写手段は例えば搬送ベルト４８、転写ローラ６１等からなり、熱定着手段は例えば定着部７６等からなり、返送手段は例えば排紙ローラ対８４、第１切換フラップ８３、戻し搬送路９１、第３切換フラップ９２、第１往復搬送ローラ対９３、往復搬送路９４、第２往復搬送ローラ対９５等からなり、隠蔽紙は例えば隠蔽シート紙１００、２００等からなり、第２の供給手段は例えば開閉給紙トレー４４、給紙ローラ６７、捌き部材６８、待機ローラ対６５等からなり、重合手段は例えば一時待機トレー９６、第２往復搬送ローラ対９５、往復搬送路９４、第１往復搬送ローラ対９３、第３切換フラップ９２、搬送ベルト４８等からなり、第２の搬送手段は例えば搬送ベルト４８、吸着ローラ６３、駆動ローラ５１、従動ローラ５２等からなり、そして、制御手段は例えば電装部９７等からなる。
【００２７】
図１は、一実施の形態における画像形成装置（電子写真式記録装置）の側断面図である。同図に示す画像形成装置４０は、タンデム型のフルカラーページプリンタであり、秘密保持可能記録装置を兼ねている。この画像形成装置４０は、本体基部匡体４１の上面に上蓋４２を備え、下部には前方（図の右側）から着脱自在な用紙カセット４３を備えている。この用紙カセット４３には多枚数の用紙Ｐが載置・収容されている。
【００２８】
また、本体基部匡体４１の前面に開閉給紙トレー４４を備えて、前方上面４５には不図示の電源スイッチ、液晶表示装置、複数の入力キー等が配設され、それより後方は、ほぼ全面を覆って上記の上蓋４２が配設されている。この上蓋４２は、後部が本体基部匡体４１の後部上面とともに上部排紙トレー４６を形成して、ヒンジ４７を支点にして上下に開閉する。
【００２９】
本体基部４１の内部には略中央に、前後に偏平なループ状に形成された搬送ベルト４８が搬送面を水平にして配置されている。搬送ベルト４８は、駆動ローラ５１と従動ローラ５２間に張設され、駆動ローラ５１に駆動されて、図の反時計回り方向に循環移動する。この搬送ベルト４８の上方に、４つの画像形成転写部５３（５３ａ、５３ｂ、５３ｃ、５３ｄ）が搬送ベルト４８の用紙搬送方向（図の右から左方向）に沿って多段式に並設されている。
【００３０】
これらの画像形成転写部５３（以下、画像形成転写部５３ｃのみに番号を付与して示す）には、感光体ドラム５４と、この感光体ドラム５４の周面を時計回り方向に取り囲んで、クリーナ５５、初期化帯電器５６、露光ヘッド５７、現像器５８、現像ローラ５９、搬送ベルト４８を挟んで転写ローラ６１等の諸装置が配置されている。上記４個の感光体ドラム５４は、搬送ベルト４８の上循環部（用紙搬送面）に夫々接して配置される。
【００３１】
また、４個の現像器５８内にはマゼンタ、シアン、イエロー及びブラックの色トナーが夫々収容されている。また、４個の露光ヘッド５７は、支持部材６２を介して上蓋４２の裏面に支持されており、上蓋４２の開閉に伴われて円弧状の軌跡を描いて上下に移動し、上蓋４２の閉成により降下して、感光体ドラム５４に対向配置される。
【００３２】
搬送ベルト４８の用紙搬送方向上流側（図の右方）端部上面に、吸着ローラ６３が搬送ベルト４８を介して従動ローラ５２に圧接している。吸着ローラ６３には高圧バイアス電源６４が接続されている。そして、それより上流側には、待機ローラ対６５及び給紙センサ６６が配設されている。
【００３３】
更にその上流は横と下に分岐して、横方向には給紙ローラ６７、捌き部材６８、及び前述の開閉給紙トレー４４が配設されている。また、下方には２枚のガイド板から成る給送路６９が形成され、下方に延びる給送路６９の中間に搬送ローラ対７１が配設され、終端に用紙案内コロ７２が配設されている。その下方に、前述した用紙カセット４３の給紙端が位置している。その給紙カセット４３の給紙端の上方に、断面が半月形の給紙コロ７３が配設されている。
【００３４】
一方、搬送ベルト４８の用紙搬送方向下流側には、その端部に当接して用紙分離爪７４が配設され、その下流にガイド板７５が配設され、その下流に定着部７６が配置される。定着部７６は、断熱性の匡体７７内に発熱ローラ７８、圧接ローラ７９、発熱ローラ７８に当接する定着部分離爪８１、オイル塗布ローラ８２等から構成されている。
【００３５】
定着部７６の下流には第１切換フラップ８３、排紙ローラ対８４が配設され、その下流に、第２切換フラップ８５が配設される。第２切換フラップ８５より下流は、上部には上方向から前方へ反転する排紙路８６が形成され、排紙路８６の終端には排紙ローラ対８７の配置された上部排紙口８８が上部排紙トレー４６の後部上方に開口している。また、第２切換フラップ８５より下流の横方向には後部排紙口８９が外部に開口している。第２切換フラップ８５は同図に実線で示す下位置と破線８５′で示す上位置とに回動する。
【００３６】
また、上記の第１切換フラップ８３も同図に実線で示す下位置と破線８３′で示す上位置とに回動するようになっている。そして、この第１切換フラップ８３の上流側下方（定着部７６の下方）に、戻し搬送路９１以下この戻し搬送路９１の戻し方向（上流側）に順次配置された第３切換フラップ９２、第１往復搬送ローラ対９３、往復搬送路９４、第２往復搬送ローラ対９５及び一時待機トレー９６からなるスイッチバック機構が配設される。
【００３７】
このスイッチバック機構と上述した用紙カセット４３の間に、所定枚数の回路基盤を装着可能な電装部９２が配設されている。この電装部９２に配設される回路基盤には複数の電子部品からなる制御装置が搭載されている。制御装置は、特には図示しないがコントローラ部とエンジン部からなる。コントローラ部は、ＣＰＵ（中央演算処理装置）、ＲＯＭ（読出し専用メモリ）、ＥＥＰＲＯＭ（再書込み可能な読出し用メモリ）、フレームメモリ、イメージデータ転送回路等からなり、ホストコンピュータ等から入力される印刷データを解析し、印字用データを作成してエンジン部に転送する。
【００３８】
エンジン部は、ＣＰＵやＲＯＭ等を備え、入力側にはコントローラ部からのデータや指令信号、用紙検知センサの出力等が入力し、出力側には不図示のモータを駆動するモータドライバ、そのモータの駆動を各回転部材に伝達する駆動系を切り替えるクラッチドライバ、第１〜第３切換フラップを駆動する電磁ドライバ、露光ヘッド５７を上記印字用データに基づいて駆動する印字ドライバ、初期化帯電器５６、現像ローラ５９、転写ローラ６１、吸着ローラ６３等に所定のバイアス電流を供給するバイアス電源ドライバ等が接続されている。エンジン部はコントローラ部からのデータや指令信号、用紙検知センサの出力等に基づいて各部を駆動制御する。
【００３９】
図２（ａ）  は上記の画像形成装置４０の開閉給紙トレー４４から待機ローラ対６５へ給送される隠蔽シート紙１００の構成を示す平面図と断面図、（ｂ）  は最終的に得られる秘密保持可能記録体１０８の態様を示す斜視図である。同図（ａ）  に示す隠蔽シート紙１００は、不透明な基材１０１の周辺部に１つの角部（剥がし始め部分）１０２を除いてミシン目１０３を形成し、このミシン目１０３より外側となる裏面周辺部にホットメルト接着剤１０４を積層し、ミシン目１０３より内側となる裏面中央部全体に透明層１０５を積層して形成される。尚、このように周辺部のみにホットメルト接着剤１０４を形成する場合は、中央部の透明層１０５は無くてもよい。
【００４０】
図２（ｂ）  は、詳しくは後述する画像形成装置４０の秘密保持記録を行う転写・定着方法によって、印字済みの用紙Ｐと隠蔽シート紙１００とを重ねて上記ホットメルト接着剤１０４により接合し、宛て名１０６ａや公開文面１０６ｂ、注意書き１０６ｃ等の上書きをして完成した秘密保持可能記録体１０８の態様を示している。尚、隠蔽シート紙としては、上記の隠蔽シート紙１００に限るものではなく、その構成は種々考えられる。
【００４１】
図３は、隠蔽シート紙の他の例を示す図である。同図は上に隠蔽シート紙２００の平面図、下にその断面図を示している。同図に示す隠蔽シート紙２００は、不透明な基材２０１の裏面に、１つの角部（剥がし始め部分）２０２を除いて剥離可能な接着剤層（剥離層）２０３を形成し、その下に透明層２０５を形成し、更にその下に透明性のあるホットメルト接着剤層２０４を形成して構成される。この場合、剥離層２０３が全面に形成されているので透明層２０５は必ずしも必要ではない。また、この場合も図２同様にホットメルト接着剤層２０４は周辺部のみとしてもよい。この他にも、この画像形成装置４０の定着部７６による熱接着に使用できるのものであれば、従来から提案されている周知の構成により形成された種々の隠蔽シート紙を用いることができる。
【００４２】
図４（ａ），（ｂ），（ｃ）  及び図５（ａ），（ｂ），（ｃ）  は、上記のような隠蔽シート紙１００又は２００と、通常の記録紙である用紙Ｐとを用いて、秘密保持可能記録体（図２（ｂ）  参照）を、一連の動作で自動的に作成する画像形成装置４０の処理動作を示す動作状態図である。以下、これらの図４（ａ），（ｂ），（ｃ）  及び図５（ａ），（ｂ），（ｃ）  並びに前述した図１を再び用いて画像形成装置４０の秘密保持可能記録体を作成する処理動作を説明する。
【００４３】
先ず、図１において、本体装置４０に電源が投入され、使用する用紙Ｐの枚数、印字モード、その他の指定がキー入力あるいは接続するホスト機器からの信号として入力されると印字（印刷）を開始する。先ず、給紙コロ７３が一回転して用紙カセット４３に収容されている最上部の用紙Ｐを一枚取り出し、搬送ローラ対７１及び給送路６９を介して待機ローラ対６５へ給送する。給紙センサ６６は、給送されてくる用紙Ｐの先端を検出して用紙Ｐの給紙が正常に行われたことを確認し、搬送されていく用紙の後端を検出して用紙のサイズを確認する。
【００４４】
待機ローラ対６５は、回転を一時停止し、用紙Ｐの先端を挟持部に突き当たらせて用紙Ｐの進行を制止すると共に用紙Ｐの斜行を補正して、搬送タイミングを待機する。駆動ローラ５１が反時計回り方向に回転して、搬送ベルト４８の循環移動を開始させる。各画像形成転写部５３が印字タイミングに合わせて順次駆動され感光体ドラム５４が時計回り方向に回転する。
【００４５】
初期化帯電器５６が感光体ドラム５４周面に摺接しながら一様な高マイナス電荷を付与して感光体ドラム５４を初期化する。露光ヘッド５７は所定の距離を保って感光体ドラム５４に対向して配置されており、感光体ドラム５４周面に画像信号に応じた露光を行って初期化による高マイナス電位部と上記露光による低マイナス電位部からなる静電潜像を形成する。現像ローラ５９は、現像器５８の匡体の下部開口部に回転自在に支持されて、感光体ドラム５４に圧接し、その静電潜像の低電位部に現像器５８内のトナーを転移させて感光体ドラム５４周面上にトナー像を形成（反転現像）する。
【００４６】
用紙搬送方向最上流の画像形成転写部５３ａの感光体ドラム５４周面上のマゼンタのトナー像の先端が、搬送ベルト４８との対向部に回転搬送されてくるタイミングで、その対向部に用紙Ｐの印字開始位置が一致するように、待機ローラ対６５が回転を開始して用紙Ｐを搬送ベルト４８へ向けて給送する。
【００４７】
吸着ローラ６３は、従動ローラ５２及び搬送ベルト４８と共に用紙Ｐを挟持して搬送ベルト４８上に送り出しながら、高圧バイアス電源６４から供給される高圧バイアスを用紙Ｐに印加して、用紙Ｐを搬送ベルト４８に吸着させる。これにより、用紙Ｐは、安定した姿勢を維持しながら搬送され、上記画像形成転写部５３ａの感光体ドラム５４と転写ローラ６１により形成されている最初の画像転写部へ搬送される。
【００４８】
転写ローラ６１は、不図示の転写バイアス電源から出力される転写電流を搬送ベルト４８を介して用紙Ｐに印加する。これにより感光体ドラム５４上のマゼンタのトナー像が用紙Ｐに転写される。続いて、用紙搬送方向上流から２番目の画像形成転写部５３ｂの感光体ドラム５４と転写ローラ６１によりシアンのトナー像が転写され、更に３番目の画像形成転写部５３ｃの感光体ドラム５４と転写ブラシ６２によりイエローのトナー像が転写され、そして、最下流の画像形成転写部５３ｄの感光体ドラム５４と転写ブラシ６２によりブラックのトナー像が転写される。
【００４９】
４色のトナー像を重ねて転写された用紙Ｐは、用紙分離爪７４により搬送ベルト４８から分離されて定着部７６に搬入される。定着部７６は、図４（ａ）  に示すように、発熱ローラ７８と圧接ローラ７９により用紙Ｐを押圧挟持し、同図の矢印Ｃで示すように下流方向に搬送しながら、用紙Ｐに熱と圧とを加えてトナー像を紙面に定着させ、後方へ排出する。定着部７６から排出された用紙Ｐは、下方に回動している第１切換フラップ８３に案内されて排紙ローラ対８４に挟持され、定着搬送方向への搬送を引き継がれる。
【００５０】
用紙Ｐは、第２切換フラップ８５が、図１に示す下方の実線位置に回動しているときは、排紙路８６に沿って上方に案内され、終端で更に装置前方に反転して、上部排紙口８８から画像形成面を下向きにして上部排紙トレー４６上に途中まで排出される。あるいは第２切換フラップ８５が図１の破線８５′で示す上方位置に回動しているときは、後方へほぼ水平に送り出され、画像形成面を上向きにして後部排紙口８９から途中まで排出される。
【００５１】
そして、用紙Ｐの後端が、図４（ｂ）  に示すように、丁度排紙ローラ対８４の挟持部に来たタイミングで停止する。この停止タイミングは、図１に示した給紙センサ６６による用紙サイズの検出に基づいて電装部９７の制御部により例えばステッピングモータ等の駆動パルス数が所定の値に設定される。勿論、排紙ローラ対８４の直前にセンサを設けて用紙Ｐの後端を検出するようにしてもよい。
【００５２】
上記の次に、図４（ｂ）  に示すように、第１切換フラップ８３が上に回動して、戻し搬送路９１への案内路を形成する。更に第３切換フラップ９２が上に回動して、戻し搬送路９１と往復搬送路９４とを連通させる。続いて、図４（ｃ）  に示すように、排紙ローラ対８４が用紙戻し方向に回転を開始して、同図の矢印Ｄで示す上流側へ、用紙Ｐを戻し搬送する。用紙Ｐは、第３切換フラップ９２に案内され、第１往復搬送ローラ対９３に挟持されて戻し搬送を引き継がれ、往復搬送路９４を通過し、更に第２往復搬送ローラ対９５に挟持されて戻し搬送を引き継がれ、図１に示す一時待機トレー９６上に後端部が途中まで繰り出される。
【００５３】
そして、図５（ａ）  に示すように、用紙Ｐの先端が往復搬送路９４の中間に来たところで戻し搬送が停止する。次に、図５（ｂ）  に示すように、第３切換フラップ９２が下に回動して、往復搬送路９４を定着部７６に連通させる。第２往復搬送ローラ対９５が順搬送方向（下流側へ送る搬送）に回転して用紙Ｐの搬送を開始する。このとき第１往復搬送ローラ対９３は逆搬送方向（戻し搬送方向）の回転を継続しており、これにより、用紙Ｐの先端は第１往復搬送ローラ対９３の挟持部に当接して進行を抑止され、第２往復搬送ローラ対９５は空回転（用紙Ｐに対して滑り回転）する。これにより、用紙Ｐの先端が第１往復搬送ローラ対９３の挟持部に位置決めされる。
【００５４】
このとき他方では、隠蔽シート紙１００（又は２００）が開閉給紙トレー４４から給紙され、搬送ベルト４８により搬送され、各画像形成転写部５３ａ、５３ｂ、５３ｃ及び５３ｄによりフルカラーの上書き１０６（１０６ａ、１０６ｂ、１０６ｃ、（図２（ｂ）  参照）を施されて、図５（ｂ）  に示すように、ガイド板７５に案内されて、同図の矢印Ｅで示すように、定着部７６に向かって進行する。定着部７６の発熱ローラ７８と圧接ローラ７９は、定着・搬出方向に回転を開始している。
【００５５】
上記隠蔽シート紙１００（又は２００）がガイド板７５に案内されて所定の位置まで搬送されてきたタイミングに合わせて、第１往復搬送ローラ対９３は、回転を順搬送方向へ切り換えて用紙Ｐを定着部７６に向けて搬送する。これにより、下方の用紙Ｐと上方の隠蔽シート紙１００（又は２００）は、図５（ｃ）  に示すように、ガイド板７５の先端を出たところで重ね合わせられて、定着部７６に進入し、発熱ローラ７８と圧接ローラ７９により挟持され、熱と圧とを加えられて、隠蔽シート紙１００（又は２００）がホットメルト接着剤１０４（又は２０４）により用紙Ｐに接着される。
【００５６】
この秘密記録を印字済みの用紙Ｐと上書き記録１０６を印字済みの隠蔽シート紙１００（又は２００）とが重ねられてホットメルト接着剤１０４（又は２０４）により接合された秘密保持可能記録体１０８は、排紙ローラ対８４により搬出を引き継がれて、上部排紙トレー４６に又は後部排紙口８９に排出される。これにより、図２（ｂ）  に示した秘密保持可能記録体１０８が完成する。
【００５７】
尚、上記の用紙Ｐへの秘密記録の印字と、隠蔽シート紙１００（又は２００）への上書き記録の印字において、これらの印字処理に制御上の格別の差をつける必要はない。また、上記の例では画像形成装置４０として、極めて一般のタンデム型フルカラーページプリンタにスイッチバック機構を設けて構成し、その搬送を制御して、印字済み用紙Ｐと上書き済み隠蔽シート紙１００（又は２００）とを重ねて定着部７６を通すことによって秘密保持を可能にする記録方法を実現しているが、印字済み用紙と上書き済み隠蔽シート紙を重ねる方法はこれに限るものではない。その一例を、他の実施の形態として、以下に説明する。
【００５８】
図６は、他の実施の形態における画像形成装置（電子写真式記録装置）の側断面図である。同図に示す画像形成装置２１０も、タンデム型のフルカラーページプリンタであるが、この画像形成装置２１０は、資源節約型の両面印字機構を兼ね備えている。尚、上述した図１の搬送ベルト４８と電装部９７の間に配設された一時待機トレー９６とは異なり、図６では両面印字機構を兼ねる送り戻し搬送路が配置され、また、図１では定着部７６の前後に切換機構が配設されていたのに対し、図６では切換機構が定着部７６の後方に集中して配置される点が異なるだけで、他の部分の構成は、図６、図１ともに同一であるので、説明に必要な部分と新たな構成部分のみに番号を付与して図示し、他の部分には番号の付与を省略して図示している。
【００５９】
図６に示すように、搬送ベルト４８と電装部９７の間には、用紙Ｐを専ら同図の矢印Ｆで示す上流側へ送り戻す逆搬送専用路２１１が、４対の逆搬送ローラ対とこれら逆搬送ローラ対の間に配設された搬送路によって構成されている。この逆搬送専用路２１１の終端搬送路２１２は、給送路６９を介して開閉給紙トレー４４からの給紙路２１３と合流する。
【００６０】
また、定着部７６の後方には、図１に示した第１切換フラップ８３との間に、定着部排紙ローラ対２１４及びブーメラン型切換レバー２１５が配設される。ブーメラン型切換レバー２１５は、図６の実線で示す時計回り方向に回動した位置に在るときは、ブーメランの上腕外面が搬送路を形成し、定着部７６から定着部排紙ローラ対２１４によって排出される用紙等を排紙ローラ対８４へ案内する。また、ブーメラン型切換レバー２１５が図６の破線２１５′で示す反時計回り方向に回動した位置に在るときは、ブーメランの上腕内面及び下腕内面が、定着部７６から定着部排紙ローラ対２１４によって排出される用紙等を、送り戻し搬送路（秘密保持可能記録用逆搬送路）２１６へ案内する。この秘密保持可能記録用逆搬送路（以下、秘密記録逆搬送路という）２１６は、戻し搬送路（ここでは両面記録用逆搬送路）９１と合流し、その先は逆搬送専用路２１１に連絡する。この構成の場合も、用紙カセット４３には普通紙からなる用紙Ｐが載置・収容され、開閉給紙トレー４４には隠蔽シート紙１００（又は２００）が載置される。
【００６１】
図７（ａ），（ｂ），（ｃ）  及び図８（ａ），（ｂ），（ｃ）  は、上記の構成において、隠蔽シート紙１００（又は２００）と、通常の記録紙である用紙Ｐとを用いて、秘密保持可能記録体（図２（ｂ）  参照）を、一連の動作で自動的に作成する画像形成装置２１０の処理動作を示す動作状態図である。尚、図７〜図８は、いずれも、搬送ベルト４８、画像形成転写部５３、及び逆搬送専用路２１１の中間部分の図示を省略して示している。以下、これらの図７（ａ），（ｂ），（ｃ）  及び図８（ａ），（ｂ），（ｃ）  並びに前述した図６を再び用いて画像形成装置２１０の秘密保持可能記録体を作成する処理動作を説明する。
【００６２】
先ず、図６において、図１の場合と同様にして用紙Ｐが給紙カセット４３から取り出され、給送路６９を介して、図７（ａ）  に示すように、待機ローラ対６５に給送される。そして、図１の場合と同様にして各画像形成転写部５３においてフルカラーの秘密記録が印字され、定着部７６で秘密記録を定着される。
【００６３】
定着部７６で秘密記録を定着された用紙Ｐは、図７（ｂ）  に示すように、定着部排紙ローラ対２１４によって排出搬送を引き継がれ、ブーメラン型切換レバー２１５が、反時計回り方向に回動した位置に在ることにより、秘密記録逆搬送路２１６へ案内されて、逆搬送専用路２１１に搬入される。これより後、用紙Ｐは、４対の逆搬送ローラ対により順次逆搬送され、図７（ｃ）  に示すように、その先端が逆搬送専用路２１１の終端搬送路２１２へと搬送される。
【００６４】
そして、用紙Ｐの先端は、終端搬送路２１２と合流する給送路６９に案内されて、再び、停止中の待機ローラ対６５に当接して進行を抑止される。これと前後して、開閉給紙トレー４４から隠蔽シート紙１００（又は２００）が給送され、これも待機ローラ対６５に当接して進行を抑止される。これにより、下方の印字済み用紙Ｐと上方の隠蔽シート紙１００（又は２００）の先端が揃って位置決めされる。
【００６５】
ここで、図８（ｂ）  に示すように、待機ローラ対６５が回転を開始して上記重ね合わせられた用紙Ｐと隠蔽シート紙１００（又は２００）とを搬送ベルト４８に向けて給送する。図６の吸着ローラ６３が高圧バイアスを隠蔽シート紙１００（又は２００）及び用紙Ｐに印加することにより、これら２枚重ねられた隠蔽シート紙１００（又は２００）及び用紙Ｐの両用紙は搬送ベルト４８に良く吸着して正しい姿勢を保ちながら画像形成転写部５３ａへと搬送される。
【００６６】
これより、各画像形成転写部５３ａ〜５３ｄでフルカラーの上書きを隠蔽シート紙１００（又は２００）上に印字された後、２枚重なった両用紙は、図８（ｃ）  に示すように、定着部７６に搬入され、これを通過しながら発熱ローラ７８と圧接ローラ７９により挟持されて熱と圧とを加えられ、隠蔽シート紙１００（又は２００）がホットメルト接着剤１０４（又は２０４）により用紙Ｐに接合され、この接合により秘密保持可能記録体１０８となって、定着部排紙ローラ対２１４に排出を引き継がれ、ブーメラン型切換レバー２１５が時計回り方向に回動した位置に在ることによって、図８（ｃ）  の矢印Ｇで示すように、図６の排紙ローラ対８４へ案内され（第１切換フラップ８３は下方（図６の実線位置）に回動している）、排紙ローラ対８４により搬出を引き継がれて、上部排紙トレー４６に又は後部排紙口８９に排出される。これにより、この場合も、図２（ｂ）  に示した秘密保持可能記録体１０８が完成する。
【００６７】
ところで、この画像形成装置２１０は、上記排紙ローラ対８４による搬出を、図４（ｂ）  で示したように途中で停止させ、図４（ｃ）  に示したように逆搬送して、逆搬送専用路２１１に搬入し、図７（ｃ）  、図８（ａ），（ｂ），（ｃ）  に示した工程を通すことにより（但しこの場合は既に隠蔽シート紙１００（又は２００）が接合されているので開閉給紙トレー４４からの隠蔽シート紙１００（又は２００）の給送はしない）、用紙Ｐの裏面に公開記録を印字することができる。また、最初に用紙Ｐの一方の面に公開記録を印字し、次に他方の面に秘密記録を印字した後、図７（ｃ）  、図８（ａ），（ｂ），（ｃ）  に示した工程により、隠蔽シート紙１００（又は２００）を接合するようにしてもよい。この両面印字方式による秘密保持可能記録体の作成は、特に葉書等に適用すると有効である。すなわち、この場合は上記一方の面が葉書の表面となり、宛て名やその他の必要事項が印字される。そして、隠蔽シート紙１００（又は２００）上には例えば種々の注意書き等を印字するようにする。このように、三面に連続して印字することができて便利である。
【００６８】
尚、上述した先の実施の形態及び他の実施の形態において示した用紙搬送経路の例は、普通紙への秘密記録の印字とこの上に同一装置により隠蔽シート紙を重ねて接合して更に印字するという本発明の主旨を変えない程度に種々変更することが可能であり、上記実施の形態に限定されるものではない。
【００６９】
【発明の効果】
以上詳細に説明したように、本発明によれば、ホットメルト接着剤を利用してそのホットメルト接着剤層を有する隠蔽シートを用意し、これを印字済みの通常の記録紙と重ね合わせて定着部の熱押圧を利用して記録紙と隠蔽シートを接合するようにしたので、記録装置として広く一般的な簡易な構成の電子写真式画像形成装置の基本構造を大幅に変更することなく使用でき、したがって、記録情報を秘密保持可能に記録する装置を安価に提供することが可能となる。また、印字及び記録紙と隠蔽シートとの接合に電子式画像形成装置を用いるので、記録紙と接合する前の又は記録紙と接合した後の隠蔽シートの表面にも記録情報を任意の範囲に印字でき、したがって、秘密記録の印字と非秘密記録の印字の両方共に印字形式に制約を受けることがないので便利である。また、一般的なフルカラーの電子写真式画像形成装置を用いるので、秘密保持を要するフルカラーの印字を安価に作成でき、したがって、小規模事業所や一般のオフイスあるいは個人を問わず、近年のフルカラーの要望に容易に且つ安価に応えることができ、これによって、フルカラーによる快適な秘密情報の交換を行うことが出来、これによりユーザの満足度の向上に貢献できる。
【図面の簡単な説明】
【図１】一実施の形態における画像形成装置（電子写真式記録装置）の内部構成を主要部のみ模式的に示す側断面図である。
【図２】（ａ）  は秘密保持記録装置で使用される隠蔽シート紙の構成を示す平面図と断面図、（ｂ）  は最終的に得られる秘密保持可能記録体の態様を示す斜視図である。
【図３】隠蔽シート紙の他の例を示す平面図と断面図である。
【図４】（ａ），（ｂ），（ｃ）  は隠蔽シート紙と通常の用紙とを用いて秘密保持可能記録体を一連の動作で自動的に作成する画像形成装置の処理動作を示す動作状態図（その１、２、３）である。
【図５】（ａ），（ｂ），（ｃ）  は隠蔽シート紙と通常の用紙とを用いて秘密保持可能記録体を一連の動作で自動的に作成する画像形成装置の処理動作を示す動作状態図（その４、５、６）である。
【図６】他の実施の形態における画像形成装置（電子写真式記録装置）の側断面図である。
【図７】（ａ），（ｂ），（ｃ）  は他の実施の形態における画像形成装置において隠蔽シート紙と通常の用紙とを用いて秘密保持可能記録体を一連の動作で自動的に作成する処理動作を示す動作状態図（その１、２、３）である。
【図８】（ａ），（ｂ），（ｃ）  は他の実施の形態における画像形成装置において隠蔽シート紙と通常の用紙とを用いて秘密保持可能記録体を一連の動作で自動的に作成する処理動作を示す動作状態図（その４、５、６）である。
【図９】（ａ），（ｂ）  は従来の隠蔽ラベルの一例を示す図、（ｃ）  は秘密保護すべき印字情報が記載されている記録紙を示す図である。
【図１０】従来の隠蔽用封止シートの例を示す図である。
【図１１】（ａ）  は従来の大量の記録紙を隠蔽用封止シートによって記録面を隠蔽する場合の記録紙の例を示す図、（ｂ）  はその封止作業を専用装置によって行う場合の処理を模式的に示す図である。
【図１２】（ａ），（ｂ）  は、従来のファクシミリ用記録紙に秘密保持可能に印字する例を示す図である。
【図１３】（ａ），（ｂ），（ｃ）  は、従来の感熱発色による秘密記録方式の難点を解消するものとして知られる記録方式の例を示す図である。
【符号の説明】
１    隠蔽ラベル
２    基材
３    隠蔽層
４    透明層
５    接着層
６    剥離層
７    印字情報
８    記録紙
９    ミシン目
１０  隠蔽用封止シート
１１  透明の基材
１２  熱可塑性樹脂層
１３−１、１３−２  感熱接着剤層
１４−１、１４−２  印字情報
１５−１、１５−２  記録紙
１６  連続紙
１６ａ  情報記録体
１７  印字情報
１８  折り目
１９  貼合せ機
２１  発熱ローラ
２２  フィード孔
２３  ミシン目
２５  ファクシミリ用の記録紙
２６  基材
２７  発色層
２８  不透明被覆部材
２９ａ、２９ｂ  発熱記録ヘッド
３０  受像紙本体
３１  ベース紙
３２  熱転写インク層
３２−１  熱転写されたインク
３３  感熱紙
３４  発熱記録ヘッド
３５  宛て名等一般伝達事項
４０  一実施形態の画像形成装置（電子写真式記録装置）
４１  本体基部匡体
４２  上蓋
４３  用紙カセット
Ｐ    用紙
４４  開閉給紙トレー
４５  前方上面
４６  上部排紙トレー
４７  ヒンジ
４８  搬送ベルト
５１  駆動ローラ
５２  従動ローラ
５３（５３ａ、５３ｂ、５３ｃ、５３ｄ）  画像形成転写部
５４  感光体ドラム
５５  クリーナ
５６  初期化帯電器
５７  露光ヘッド
５８  現像器
５９  現像ローラ
６１  転写ローラ
６２  支持部材
６３  吸着ローラ
６４  高圧バイアス電源
６５  待機ローラ対
６６  給紙センサ
６７  給紙ローラ
６８  捌き部材
６９  給送路
７１  搬送ローラ対
７２  用紙案内コロ
７３  給紙コロ
７４  用紙分離爪
７５  ガイド板
７６  定着部
７７  匡体
７８  発熱ローラ
７９  圧接ローラ
８１  定着部分離爪
８２  オイル塗布ローラ
８３  第１切換フラップ
８４  排紙ローラ対
８５  第２切換フラップ
８６  排紙路
８７  排紙ローラ対
８８  上部排紙口
８９  後部排紙口
９１  戻し搬送路
９２  第３切換フラップ
９３  第１往復搬送ローラ対
９４  往復搬送路
９５  第２往復搬送ローラ対
９６  一時待機トレー
９７  電装部
１００、２００  隠蔽シート紙
１０１、２０１  不透明な基材
１０２、２０２  角部（剥がし始め部分）
１０３          ミシン目
１０４、２０４  ホットメルト接着剤
１０５、２０５  透明層
１０６ａ  宛て名
１０６ｂ  公開文面
１０６ｃ  注意書き
１０８    秘密保持可能記録体
２０３    剥離可能な接着剤層（剥離層）
２１０    他の実施形態の画像形成装置（電子写真式記録装置）
２１１    逆搬送専用路
２１２    終端搬送路
２１３    給紙路
２１４    定着部排紙ローラ対
２１５    ブーメラン型切換レバー
２１６    送り戻し搬送路（秘密保持可能記録用逆搬送路）
【図１】
0003577524.tif 000002
【図２】
0003577524.tif 000003
【図３】
0003577524.tif 000004
【図４】
0003577524.tif 000005
【図５】
0003577524.tif 000006
【図６】
0003577524.tif 000007
【図７】
0003577524.tif 000008
【図８】
0003577524.tif 000009
【図９】
0003577524.tif 000010
【図１０】
0003577524.tif 000011
【図１１】
0003577524.tif 000012
【図１２】
0003577524.tif 000013
【図１３】
0003577524.tif 000014